(57)【要約】【課題】傘布部の着脱を簡易な操作によって行うことが可能であり、また、傘布部を交換することで長期間に亘って使用することが可能な傘を提供する。【解決手段】所定角度ずつ離間して放射状に配設された複数の親骨部材を上方から被覆する傘布部が張設された傘であって、上記傘布部には、上記傘布部を上記親骨部材に固定しうる固定部材が配設され、上記傘布部と上記親骨部材とは、上記固定部材に配設された面ファスナーによって着脱可能に固定された構成とする。【選択図】  図１
0003150807.tif 000002
【実用新案登録請求の範囲】
【請求項１】
所定角度ずつ離間して放射状に配設された複数の親骨部材を上方から被覆する傘布部が張設された傘であって、
上記傘布部には、上記傘布部を上記親骨部材に固定しうる固定部材が配設され、上記傘布部と上記親骨部材とは、上記固定部材に配設された面ファスナーによって着脱可能に固定されていることを特徴とする傘。
【請求項２】
上記傘布部は、隣接する上記親骨部材の間の角度と略同一の頂角を有する略二等辺三角形に形成された複数の傘布材が、等辺に沿って逢着されて形成されると共に、上記親骨部材は、上記傘布部の内側面部において、上記傘布材の逢着部に沿って配置され、
上記固定部材は、所定長を有し、長さ方向略中央部で二つ折りにされた帯部材から形成されると共に、折曲部において上記傘布材の逢着部に一体的に固定され、
上記面ファスナーは上記固定部材の両端部において対向する位置に配設され、上記固定部材は上記親骨部材の外周を被覆すると共に、上記両端部の面ファスナーを密着させることによって、上記傘布部を上記親骨部材に固定することを特徴とする請求項１記載の傘。
【請求項３】
上記固定部材は、上記逢着部の略中央部に配設されていることを特徴とする請求項１又は２に記載の傘。
【考案の詳細な説明】
【技術分野】
【０００１】
本考案は複数の親骨部材を上方から被覆する傘布部が張設された傘に関する。
【背景技術】
【０００２】
一般的に傘は複数の親骨部材に傘布部が張設されて形成されている。
図４は従来の傘７０の一例を示す側面図及び下方斜視図である。
図４に示すように、上記傘７０は、所定長を有する中芯軸部７１の上端部７２の外周部に固定された上ろくろ部７３に、八本の親骨部材７４が略等角度ずつ離間して放射状に取り付けられると共に、上記中心軸部７１において、上記上ろくろ部７３よりも下端部側には、上記中心軸部７１の軸方向に沿って摺動しうる下ろくろ部７５が配設されている。
また、上記下ろくろ部７５には、上記親骨部材７４と同数の受け骨７６の下端部が固定されると共に、上記受け骨７６の先端部は、夫々対応する上記親骨部材７４の長さ方向略中央部に固定されている。
また、上記親骨部材７４の外側に傘布部７７が張設され、上記下ろくろ部７５を上記中心軸部７１に沿って摺動させることによって、上記親骨部材７４と共に上記傘布部７７を開閉しうるように形成されている。
上記傘布部７７から上方に突出した中心軸部７１の上端には、石突７８が螺着若しくは嵌着されて取り付けられている。
【０００３】
上記傘布部７７は、全体略八角形形状に形成され、隣接する親骨部材７４の間の角度と略同一の頂角を有する八枚の略二等辺三角形に形成された傘布材８２が隣接する等辺に沿って逢着されて形成されている。
上記傘布部７７は、上記傘布部７７の内側面部において、上記傘布部７７の中心点から各頂点７９に至る線上に上記親骨部材７４が当接するように配置されている。
また、上記傘布部７７の各頂点７９には、有底円筒形に形成された露先８０が取り付けられている。
上記傘布部７７は、上記露先８０の開口部に上記親骨部材７４の先端部を挿入すると共に、上記親骨部材７４の長さ方向略中央部が当接する位置８１において、上記親骨部材７４と一体に逢着されることによって、上記親骨部材７４を上方から被覆するように張設固定されている。
【０００４】
一般的に、上記中心軸部７１、親骨部材７４及び受け骨７６は金属部材若しくは合成樹脂等で形成されており、比較的頑強であり耐久性も高い。
一方、上記傘布部７７は布材若しくはビニールによって形成され、経年によって防水効果が劣化し、また変色、破れ等の破損が生じること場合が多い。
【０００５】
近年の環境保護への対応として、傘布部を張り替えることによって、より長期間に亘って使用可能な傘の提供の要請が大きくなっている。
しかしながら、従来の傘７０においては、上記傘布部７７が上記親骨部材７４に逢着によって固定されていることから、上記傘布部７７を上記親骨部材７４から取り外す場合は、鋏等によって糸を切断する必要があり、非常に煩雑であるという不具合を有していた。
【考案の概要】
【考案が解決しようとする課題】
【０００６】
本考案の解決する課題は、傘布部の着脱を簡易な操作によって行うことが可能であり、また、傘布部を交換することで長期間に亘って使用することが可能な傘を提供することにある。
【課題を解決するための手段】
【０００７】
上記課題を解決するために、請求項１の考案にかかる傘は、所定角度ずつ離間して放射状に配設された複数の親骨部材を上方から被覆する傘布部が張設された傘であって、上記傘布部には、上記傘布部を上記親骨部材に固定しうる固定部材が配設され、上記傘布部と上記親骨部材とは、上記固定部材に配設された面ファスナーによって着脱可能に固定されていることを特徴とする。
【０００８】
従って、面ファスナーを着脱することによって、傘布を親骨部材から取り外すことが可能となる。
【０００９】
また、請求項２の考案に係る傘は、上記傘布部は、隣接する上記親骨部材の間の角度と略同一の頂角を有する略二等辺三角形に形成された複数の傘布材が、等辺に沿って逢着されて形成されると共に、上記親骨部材は、上記傘布部の内側面部において、上記傘布材の逢着部に沿って配置され、上記固定部材は、所定長を有し、長さ方向略中央部で二つ折りにされた帯部材から形成されると共に、折曲部において上記傘布材の逢着部に一体的に固定され、上記面ファスナーは上記固定部材の両端部において対向する位置に配設され、上記固定部材は上記親骨部材の外周を被覆すると共に、上記両端部の面ファスナーを密着させることによって、上記傘布部を上記親骨部材に固定することを特徴とする。
【００１０】
従って、上記固定部材は、上記傘布材の逢着作業時に、一括で取り付けることが可能となる。
【００１１】
また、請求項３の考案に係る傘は、上記固定部材は、上記逢着部の略中央部に配設されていることを特徴とする。
【考案の効果】
【００１２】
請求項１〜３の考案にあっては、上記傘布部が親骨部材に面ファスナーによって着脱可能に固定されることから、上記傘布部の着脱を非常に簡易な操作によって行うことが可能である。
また、上記傘布部を交換することで長期間に亘って継続使用することが可能な傘を提供することが可能となる。
特に請求項２の考案にあっては、上記固定部材は、所定長を有し、長さ方向略中央部で二つ折りにされた帯部材から形成されると共に、折曲部において上記傘布材の逢着部に一体的に固定されることから、上記傘布材の逢着作業時に上記固定部材を一括で取り付けることが可能であり、別途の作業によって上記傘布部に上記固定部材を取り付ける必要がない。
従って、請求項１の効果に加え、傘の製造コストをより低減することが可能となる。
また、請求項３の考案にあっては、上記固定部材は、上記逢着部の略中央部に配設されていることから、上記傘布を上記親骨部材に張設した状態において、上記傘布部が上記親骨部材から浮き上がり難い。
【考案を実施するための形態】
【００１３】
以下、図面を用いて、本考案を長傘に適用した場合を例に、実施の形態について説明する。
図１（ａ）に示すように、本実施例にかかる傘１０は、所定角度ずつ離間して放射状に配設された複数の親骨部材１１を上方から被覆する傘布部１２が張設された傘であって、図１（ｂ）に示すように、上記傘布部１２には、上記傘布部１２を上記親骨部材１１に固定しうる固定部材１３が配設され、図２（ａ）、（ｂ）に示すように、上記傘布部１２と上記親骨部材１１とは、上記固定部材１３に配設された面ファスナー１４によって着脱可能に固定されている。
また、図１（ｂ）に示すように上記傘布部１２は、隣接する上記親骨部材１１、１１の間の角度と略同一の頂角を有する略二等辺三角形に形成された八枚の傘布材１５が、等辺に沿って逢着されて形成されている。
また、図２（ａ）に示すように、上記親骨部材１１は、上記傘布部１２の内側面部１６において、上記傘布材１５の逢着部３１に沿って配置され、図２（ｂ）に示すように、上記固定部材１３は、所定長を有し、長さ方向略中央部で二つ折りにされた帯部材１７から形成されると共に、折曲部１８において上記傘布材１５の逢着部３１の略中央部１９において上記傘布部１２と一体的に固定され、上記面ファスナー１４は上記固定部材１３の両端部において対向する位置に配設され、上記固定部材１３は上記親骨部材１１の外周を被覆するように配置されている。
【実施例】
【００１４】
以下に、図面を用いて本実施例について詳細を説明する。
図１（ａ）は本実施例に係る傘の側面図であり、（ｂ）は下方斜視図である。
図１（ｂ）に示すように、本実施例に係る傘１０は、所定長を有する中芯軸部２０の上端部２１の外周部に固定された上ろくろ部２２に、八本の親骨部材１１が等角度ずつ離間して放射状に取り付けられると共に、上記中心軸部２０において、上記上ろくろ部２２よりも下端部側には、上記中心軸部２０の軸方向に沿って摺動しうる下ろくろ部２３が配設されている。
また、上記下ろくろ部２３には、上記親骨部材１１と同数の受け骨２４の下端部が固定されると共に、上記受け骨２４の先端部は、夫々対応する上記親骨部材１１の長さ方向略中央部に固定されている。
また、上記親骨部材１１の外側には、傘布部１２が張設され、上記下ろくろ部２３を上記中心軸部２０に沿って摺動させることによって、上記親骨部材１１と共に上記傘布部１２を開閉しうるように形成されている。
図１（ａ）に示すように、上記傘布部１２から上方に突出した中心軸部２０の上端には、石突２５が螺着若しくは嵌着されて取り付けられ、上記中心軸部２０の下端部には湾曲形状の把持部２６が取り付けられている。
また、図１（ｂ）に示すように、上記傘布部１２は、全体略八角形形状に形成され、隣接する親骨部材１１の間の角度と略同一の頂角を有する八枚の略二等辺三角形に形成された傘布材１５が隣接する等辺に沿って逢着されて形成されている。
上記傘布部１２は、上記傘布部１２の内側面部１６において、上記傘布部１２の中心点から各頂点２７に至る線上に上記親骨部材１１が当接するように配置されている。
上記傘布部１２の各頂点２７には、有底円筒形に形成された露先２８が取り付けられている。
図１（ａ）に示すように、上記傘布部１２は、中心部において上記上ろくろ部２２（図１（ａ）には図示せず）と石突２５とに挟まれると共に、上記露先２８の開口部に上記親骨部材１１の先端部を挿入することによって、上記親骨１１を上方から被覆するように張設されている。
また、図３は、本実施例に係る固定部材１３と傘布部１２との接合部分の拡大断面図である。
図３に示すように、上記傘布部１２を構成している傘布材１５の逢着部３１には、隣接する上記傘布材１５の互いに対向する端部を、所定寸法分重ね合わせた重複部２９が形成されている。
上記固定部材１３は上記帯部材１７の折曲部１８を上記重複部２９と重ね合わせ、上記傘布材１５を逢着する糸３０によって上記傘布部１２に取り付けられている。
図２（ｂ）に示すように、上記固定部材１３は、帯部材１７によって上記親骨部材１１の周囲を被覆するように挟み込んで、両端部に配設された面ファスナー１４を互いに密着させることによって、上記親骨部材１１の略中央部に固定されている。
【００１５】
長期間に亘って上記傘１０を使用することによって、傘布部１２に汚れや破損が生じた場合、図２（ａ）、（ｂ）に示すように露先２８内に挿入されている親骨部材１１の先端部を抜き取ると共に、上記固定部材の面ファスナー１４を剥離し、更に図１（ａ）に示すように、石突２５の螺合又は嵌合を外すことで、上記傘布部１２を簡易に上記親骨部材１１から取り外すことができる。
従来の傘と異なり、傘布部１２と親骨部材１１とが逢着によって固定されていないことから、別途鋏等の道具が無くても、簡易に傘布部１２を取り外すことが可能となる。
従って、傘布部１２を交換して長期間に亘って使用することが可能な傘を提供することが可能となる。
また、図３に示すように、上記固定部材１３が上記傘布部１２の逢着部３１に取り付けられていることから、傘布材１５の逢着作業と上記固定部材１３の取り付け作業を一括で行うことが可能であるため、傘布部１２をより低コストで、且つ効率的に製造することが可能となる。
【００１６】
なお、上記固定部材１３を構成する帯部材１７の長さ寸法は、傘１０の大きさに合わせて適宜変更することが可能である。
また、本実施例においては、上記固定部材１３は一本の親骨部材１１に対して略中央部の一個所を固定する仕様となっているが、傘１０の大きさ若しくは傘の種別に合わせて、親骨部材１１の複数個所において固定するようにしても、本実施例と同様の作用及び効果を得ることが可能である。
また、本実施例おいては、本考案を長傘に適用した場合を例として説明したが、折畳み式の傘において、上記親骨に相当する所謂元親骨に、上記固定部材を配設した場合であっても、本実施例と同様の作用効果を得ることが可能である。
【産業上の利用可能性】
【００１７】
本考案は、複数の親骨部材を上方から被覆する傘布部が張設された傘に広く適用可能である。
【図面の簡単な説明】
【００１８】
【図１】本考案の一実施の形態を示し、（ａ）は実施例の形態における傘の全体側面図、（ｂ）は下方斜視図である。
【図２】本考案の一実施の形態を示し、（ａ）は実施例の形態における傘の底面一部拡大図、（ｂ）は（ａ）のＡ−Ａ線断面図である。
【図３】本考案の一実施の形態を示し、実施例の形態において、親骨部材を外した状態における固定部材長さ方向断面図である。
【図４】従来の傘の形態を示し（ａ）は全体側面図、（ｂ）は下方斜視図である。
【符号の説明】
【００１９】
１０  傘
１１  親骨部材
１２  傘布部
１３  固定部材
１４  面ファスナー
１５  傘布材
１６  傘布部の内側面部  
１７  帯部材
１８  折曲部
１９  傘布材の逢着部の略中央部  
２０  中心軸部
２１  中心軸部の上端部
２２  上ろくろ部
２３  下ろくろ部
２４  受け骨
２５  石突
２６  把持部
２７  傘布部の頂点
２８  露先
２９  傘布材の重複部
３０  糸
３１  傘布材の逢着部
７０  傘
７１  中心軸部  
７２  中心軸部の上端部
７３  上ろくろ部
７４  親骨部材
７５  下ろくろ部
７６  受け骨
７７  傘布部
７８  石突
７９  傘布部の頂点
８０  露先
８１  親骨部材の長さ方向略中央部の当接位置
８２  傘布材
【図１】
0003150807.tif 000003
【図２】
0003150807.tif 000004
【図３】
0003150807.tif 000005
【図４】
0003150807.tif 000006
【手続補正書】
【提出日】平成21年3月19日(2009.3.19)
【手続補正１】
【補正対象書類名】実用新案登録請求の範囲
【補正対象項目名】請求項３
【補正方法】変更
【補正の内容】
【請求項３】
上記固定部材は、上記逢着部の略中央部に配設されていることを特徴とする請求項２に記載の傘。